(57)【特許請求の範囲】
【請求項１】
ストライカが正面開口部から侵入する鈎状のフック部を有する樹脂成形された装置本体と、この装置本体に形成された収納溝と、この収納溝に組み込まれ前記フック部の基端側から先端部へと出没自在であって、正面に前記ストライカが摺接する傾斜面が形成されたロック爪と、を備えた開閉ロック装置において、
前記ロック爪の側面に係合部を形成するとともに、前記フック部の先端部に前記係合部が係合する係合受部を貫通して形成したことを特徴とする開閉ロック装置。
【請求項２】
請求項１記載の開閉ロック装置において、
前記係合部が前記ロック爪の両側面に形成した凸部であって、前記係合受部が該凸部と係合する凹溝であることを特徴とする開閉ロック装置。
【請求項３】
請求項２記載の開閉ロック装置において、
前記凸部をロック爪の移動方向に連続して形成するとともに、前記収納溝の内側面に前記凸部を案内する案内凹部を形成したことを特徴とする開閉ロック装置。
【請求項４】
請求項２又は３に記載の開閉ロック装置において、
前記凸部を、前記ロック爪の頂部と略同一平面上に形成したことを特徴とする開閉ロック装置。
【発明の詳細な説明】
【０００１】
【発明の属する技術分野】
この発明は、例えば、自動車の室内に設けられたグローブボックス等の扉を開閉する開閉ロック装置に関し、特にロック爪の支持構造の改良に関するものである。
【０００２】
【従来の技術】
従来のこの種の開閉ロック装置として、特開平５−３２１５２５号公報に示されたものがある。この開閉ロック装置は、具体的には図示しないが、本体の凹部（以下、フック部と称する）に係合部を形成し、ラッチ（以下、ロック爪と称する）の傾斜面先端部がこの係合部と係合するように構成されている。ロック爪は、基部が本体に支持されるとともに、先端部が係合部に支持され、両端支持の形態をもってフック部内に入り込んだストライカを保持する。
【０００３】
【発明が解決しようとする課題】
上述した従来の構造によれば、フック部内に侵入したストライカを、ロック爪が充分な強度をもって保持することができる。しかし、ロック爪の傾斜面先端部がフック部に形成した係合部と係合する構成のため、ロック爪が開閉するたびに当該ロック爪の傾斜面先端部が係合部に衝突する。このような衝突が繰り返されるとロック爪の傾斜面先端部に傷がつき、しかも長期の使用に伴いその傷は拡大していくことになる。
【０００４】
ロック爪の傾斜面は、ストライカの摺接面となっており、この傾斜面によってストライカの当接圧力をロック爪が移動するための分力に変換している。したがって、ストライカを円滑に摺接させるためには、傾斜面が平滑面を維持することが重要となる。上述したように、ロック爪の傾斜面に傷がついた場合、ストライカがその傷の上を通過する際に、耳障りな異音や不連続な振動が生じたり、更には当該傷が障壁となってロック爪の退避が円滑に行われなくなるおそれがあった。
【０００５】
しかも、上述した従来技術では、フック部に形成した係合部と、ロック爪の傾斜面先端部との間の係合を、がたつきなく確実なものとするために、ロック爪の傾斜面先端部に、段状の係合受部が形成してある。
【０００６】
したがって、こ段状の係合受部をストライカが通過するとき、上述した傾斜面の傷と同様に、耳障りな異音や不連続な振動が生じるおそれがあった。
【０００７】
本発明はこのような事情に鑑みてなされたもので、ロック爪に形成した傾斜面の平滑性を保持して耳障りな異音や不連続な振動の発生を防止するとともに、ロック爪を充分な強度をもって支持することを目的とする。
【０００８】
【課題を解決するための手段】
上記目的を達成するために、請求項１記載の発明は、ストライカが正面開口部から侵入する鈎状のフック部を有する装置本体と、この装置本体に形成された収納溝と、この収納溝に組み込まれ前記フック部の基端側から先端部へと出没自在であって、正面に前記ストライカが摺接する傾斜面が形成されたロック爪と、を備えた開閉ロック装置において、前記ロック爪の側面に係合部を形成するとともに、前記フック部の先端部に前記係合部が係合する係合受部を形成したことを特徴とする。
【０００９】
請求項２記載の発明は、請求項１を前提として、前記係合部が前記ロック爪の両側面に形成した凸部であって、前記係合受部が該凸部と係合する凹溝であることを特徴とする。
【００１０】
請求項３記載の発明は、請求項２を前提として、前記凸部をロック爪の移動方向に連続して形成するとともに、前記収納溝の内側面に前記凸部を案内する案内凹部を形成したことを特徴とする。
【００１１】
そして、請求項４記載の発明は、請求項２又は３を前提として、前記凸部を、前記ロック爪の頂部と略同一平面上に形成したことを特徴とする。
【００１２】
よって、請求項１記載の発明によれば、ロック爪の側面に形成した係合部とフック部の先端部に形成した前記係合受部とが係合することにより、フック部内に保持されたストライカから受ける力に対して、充分な強度をもってロック爪を支持することができる。しかも、係合部をロック爪の側面に形成したので、ロック爪の正面に形成された傾斜面（ストライカが摺接する傾斜面）は、先端に至るまで平滑面とすることができ、かつ係合受部に当接して傷つくおそれもない。
【００１３】
また、請求項２記載の発明によれば、係合部を凸部に、係合受部を凹溝に形成することで、それらの構成が簡単となって容易に製作することが可能となる。さらに、凸部（係合部）をロック爪の両側面に形成することにより、ロック爪を両側から支持することができ、一層確実かつ充分な強度をもってロック爪の支持が可能となる。また、ロック爪に対しストライカが傾きをもって当接した場合にも、両側から支持されたロック爪は、ねじれを生じることなく強固にストライカをフック部内に保持することができる。
【００１４】
請求項３記載の発明によれば、ロック爪の移動に際して、ロック爪の側面に連続して形成した凸部が、収納溝の案内凹部に案内されるので、ロック爪ががたつくことなく移動できる。また、凸部と案内凹部との係合によって、がたつきなくロック爪を支持することができる。
【００１５】
請求項４記載の発明によれば、凸部をロック爪の頂部と略同一平面上に形成することで、ロック爪の頂部付近まで凸部を延長することができる。したがって、ロック爪の頂部付近で凸部と凹溝とを係合させることができるので、ロック爪の移動距離が短縮する。
【００１６】
【発明の実施の形態】
以下、本発明を自動車室内のグローブボックスに適用した実施の形態について、図面を参照して詳細に説明する。
自動車室内に小物品等の収納部として形成されるグローブボックスは、前面に開口を有するとともに、支軸を中心に回動自在な扉によってこの開口を開閉自在とする構造となっている。本実施の形態に係る開閉ロック装置は、図１に示す如くグローブボックス１の開口縁部１ａに取り付けられるストライカ１０と、扉２に取り付けられる装置本体２０と、図２に示す如く装置本体２０に組み付けられるロック爪４０、このロック爪に付勢手段としてのコイルばね５０、及び操作ノブ６０の各構成部品を備えている。
【００１７】
ここで、装置本体２０は、合成樹脂を材料として射出成形により一体成形された樹脂成形品である。また、ロック爪４０及び操作ノブ６０も、それぞれ別個に成形された樹脂成形品である。
【００１８】
ストライカ１０は、図３（ａ）（ｂ）に想像線で示す如く平面コ字状に屈曲形成した棒状の金属部品であり、両端部が図１に示す如くグローブボックスの開口縁部１ａに固定されており、屈曲部間の中間軸部が後述するように装置本体２０のフック部２１内に係脱自在となっている。
【００１９】
装置本体２０は、図２に示す如く、正面の適所に位置決め突起２２ａが形成してあり、かつ上面の後端角部から扉への装着爪２２ｂが延出して形成してある。扉２の上端中央部には、図１に示す如く装置本体２０を装着するための凹部２ａが形成してあり、この凹部２ａの正面適所に形成してある位置決め孔（具体的には図示せず）に、装置本体２０の位置決め突起２２ａを係合するとともに、凹部２ａの上端縁部から下方に張り出した取付け板２ｂに装着爪２２ｂを係合させて、扉２への装着がなされる。
【００２０】
なお、装置本体２０が装着される扉２のフック部２ａには、後述する装置本体２０のフック部２１と対向する位置に切欠孔２ｃが形成してあり（図１参照）、この切欠孔２ｃを透してストライカ１０がフック部２１内に侵入する。
【００２１】
装置本体２０の上面中央部には、図２に示す如く鈎状に湾曲したフック部２１が正面を開口部２１ａとして突き出し形成してある。このフック部２１内の空間は、図１に示す如くストライカ１０の中間軸部が入り込める充分な深さを有している。ストライカ１０は扉２の閉塞動作に伴い、フック部２１の正面開口部２１ａから該フック部２１の内部に侵入する。
なお、フック部２１の背面には、弾性支持片２１ｂが形成してあり、フック部２１内に侵入したストライカ１０を、この弾性支持片２１ｂが弾力的に支持する。
【００２２】
また、装置本体２０には、図３（ｂ）（ｃ）等に示す如く上面中央部（フック部２１の基端部）から内部に向かって、縦方向に収納溝２３が形成してあり、この収納溝２３の底面には、コイルばね５０の支持用突起２３ａが形成してある。
【００２３】
収納溝２３には上面の開口からまずコイルばね５０が挿入され、次いでロック爪４０が嵌め込まれる。コイルばね５０は、支持用突起２３ａに下端が係合して収納溝２３内で位置決めされ、ロック爪４０を上方向（すなわち、ロック爪４０が収納溝２３から突き出す方向）に付勢する。したがって、ロック爪４０は、コイルばね５０に付勢されながら、収納溝２３に沿って移動自在となっている。
【００２４】
一方、フック部２１の先端部には、収納溝２３と対向する箇所に切欠部２１ｃが形成してあり、該先端部とロック爪４０との干渉を回避している。
【００２５】
ここで、ロック爪４０の両側面には、図４に示す如く軸方向（移動方向）に沿って延在する凸部４１（係合部）が形成してある。この凸部４１は、ロック爪４０の頂部と略同一平面上に形成され、ロック爪の頂部付近から軸方向（移動方向）に連続して形成してある。また、フック部２１に形成した切欠部２１ｃの内壁には、凸部４１と係合する凹溝２１ｄ（係合受部）が形成してあり、収納溝２３から突き出したロック爪４０の凸部４１が、この凹溝２１ｄと係合するようになっている。
【００２６】
また、上述した収納溝２３の内側面にも、ロック爪４０の凸部４１が係合する案内凹部２４が縦方向に形成してある。ロック爪４０は、この案内凹部２４と凸部４１との係合によって、がたつきなく収納溝２３内を摺動可能となっている。
【００２７】
したがって、コイルばね５０の付勢力によって突き出したロック爪４０は、凸部４１が頂部付近で凹溝２１ｄに係合するとともに、基部側が案内凹部２４と係合しており、これにより両端支持の形態をもって強固に支持される。
【００２８】
ロック爪４０の正面上部は、図２に示す如く傾斜面４０ａとしてあり、扉２の閉塞動作に伴いストライカ１０がこの傾斜面４０ａに当接すると、その押圧力が傾斜面４０ａに作用してロック爪４０を下方に押し下げるようになっている。
【００２９】
装置本体２０に形成した収納溝２３の後部壁面には、図３（ｃ）や図５（ｃ）に示す如く縦方向に延びる切欠孔２５が形成してある。また、ロック爪４０の背面には、後述する操作ノブ６０の押下爪６１と係合する係合凸部４２が形成してあり、この係合凸部４２が切欠孔２５を透して装置本体２０の背面側に露出している（図３（ｃ）参照）。
【００３０】
操作ノブ６０には、図２に示す如く一対の軸受孔６２が形成してあり、この軸受孔６２が装置本体２０の両側面に形成した支持凸部２６に回動自在に嵌め込まれる。また、操作ノブ６０には、押下爪６１が形成してあり、上述したようにこの押下爪６１がロック爪４０に形成した係合凸部４２の上面に係合する。したがって、コイルばね５０の付勢力が係合凸部４２を介して押下爪６１に伝えられ、これにより操作ノブ６０は図１の時計方向に回動付勢されている。
【００３１】
一方、操作ノブ６０は、図２に示す如く軸受孔６２の近傍に形成した平坦部６３が、装置本体２０の当接面２７に接触して上記時計方向の回動が規制される。この規制により、ロック爪４０は、凸部４１の頂部付近がフック部２１の先端部に形成した凹溝２１ｄと係合する位置で止まり、それ以上の突出しが阻止される。また、操作ノブ６０を図１の反時計方向に回動操作することで、押下爪６１が係合凸部４２を下方に押し下げるので、ロック爪４０が下方に移動してフック部２１の正面開口部２１ａを開放する。これにより、ストライカ１０がフック部２１内から脱出可能となり、扉２を開放することができる。
【００３２】
次に、図６を参照して、扉を閉塞する際の動作を説明する。図６（ａ）に示す如く扉２を閉塞方向（矢印ａ方向）に回動させると、グローブボックス１の開口縁部１ａに取り付けられたストライカ１０が、ロック爪４０の傾斜面４０ａに当接し、その押圧力によってロック爪４０が収納溝２３内に押し下げられる。これにより、フック部２１の正面開口部２１ａが開放し、ストライカ１０がフック部２１内に侵入する（図６（ｂ））。
【００３３】
フック部２１内にストライカ１０が侵入すると、ロック爪４０がコイルばね５０の付勢力をもって突き出し、フック部２１の正面開口部２１ａを閉塞する（図６（ｃ））。この閉塞状態において、フック部２１の両側面に形成した凸部４１は、基端側が収納溝２３内の案内凹部２４に係合するとともに、頂部付近がフック部２１の凹溝２１ｄと係合して、両端支持梁の形態をもって強固に支持されている。このとき、ストライカ１０は、フック部２１内で、弾性支持片２１ｂとロック爪４０とに挟まれて、がたつきが防止される。
【００３４】
なお、本発明は上述した実施形態に限定されるものではない。例えば、ロック爪４０の一側面にのみ凸部４１を形成することもでき、また、凸部４１をロック爪４０の頂部付近にのみ形成することもできる。
【００３５】
【発明の効果】
以上説明したように、本発明の開閉ロック装置によれば、ロック爪の側面に形成した係合部が、フック部の先端部に形成した係合受部と係合するので、充分な強度をもってロック爪を支持することができる。しかも、この支持状態において、ロック爪の傾斜面はフック部に当接しないので、該傾斜面が傷つくことなく平滑性を保持される。したがって、傾斜面に沿ってストライカが滑らかに摺接するので、耳障りな異音や不連続な振動を生じさせるおそれがない。
【図面の簡単な説明】
【図１】本発明の実施形態に係る開閉ロック装置の外観を示す側面図である。
【図２】本発明の実施形態に係る開閉ロック装置の分解斜視図である。
【図３】本発明の実施形態に係る開閉ロック装置を示す図であり、（ａ）は平面図、（ｂ）は（ｃ）に示すＢ−Ｂ線にて切断した断面正面図、（ｃ）は（ｂ）に示すＡ−Ａ線にて切断した断面側面図である。
【図４】ロック爪を示す図であり、（ａ）は正面図、（ｂ）は底面図、（ｃ）は側面図である。
【図５】装置本体を示す図で、（ａ）は正面図、（ｂ）は（ａ）に示すＣ−Ｃ線にて切断した断面側面図である。
【図６】本発明の実施形態に係る開閉ロック装置による扉の閉塞動作を説明するための断面側面図である。
【符号の説明】
１：グローブボックス            １ａ：開口縁部
２：扉
１０：ストライカ                  ２０：装置本体
２１：フック部                  ２１ａ：正面開口部
２１ｂ：弾性支持片              ２１ｃ：切欠部
２１ｄ：凹溝（係合受部）
２３：収納溝                    ２４：案内凹部
２５：切欠孔
４０：ロック爪                ４０ａ：傾斜面
４１：凸部（係合部）            ４２：係合凸部
５０：コイルばね                ６０：操作ノブ
６１：押下爪                    ７０：後方支持部
【図１】
0003638113.tif 000002
【図２】
0003638113.tif 000003
【図３】
0003638113.tif 000004
【図４】
0003638113.tif 000005
【図５】
0003638113.tif 000006
【図６】
0003638113.tif 000007